(57)【特許請求の範囲】
【請求項１】
複数の支柱上に屋根を載置して形成した公共交通機関の停留所における任意の支柱の正面乃至背面に設置し，導光板と，該導光板の入射端面に多数のＬＥＤを近接して並列するように該導光板の幅方向端部に設置したＬＥＤユニットと，上記導光板の正面側に配置した透光性の表示板と，該表示板の正面に配置した透明の保護板を備えて，上記屋根に設置のソーラーパネルによって充電するバッテリーを電源として上記導光板による表示板の背面照明を行うようにした時刻表，路線図等の表示装置であって，上記任意の支柱を，支柱フレームと，該支柱フレームの両側の側面に設置した側面化粧カバー及びその前後又はその一方の端部に回動不能又は回動自在に配置した開閉化粧カバーによる上下複数の化粧カバーと，該上下複数の化粧カバーにおける開閉化粧カバー間に配置した上下に対向する化粧横桟を備えて形成し，該上下に対向する化粧横桟に形成した突起又は溝によって上記導光板，表示板及び保護板を，これらの間に僅少空隙を介して保持するとともに上記開閉化粧カバーを開閉することによってこれら導光板，表示板及び保護板を横方向にスライド脱着自在としてなることを特徴とする停留所の照明付表示装置。
【請求項２】
上記ＬＥＤユニットを，反射性のケースに多数のＬＥＤを設置しその導光板側に前後脚片を配置して構成するとともに該前後脚片によって導光板の幅方向端部を被嵌挟持し，その長手方向複数箇所においてネジ固定することによって上記導光板の幅方向端部に着脱自在に設置してなることを特徴とする請求項１に記載の停留所の照明付表示装置。
【発明の詳細な説明】
【０００１】
【発明の属する技術分野】
本発明は公共交通機関の停留所に関し，特にその照明付表示装置に関する。
【０００２】
【従来の技術】
この種停留所の照明付表示装置は，例えばバスの停留所に見られるように，支柱に時刻表，路線図等をプリントして表示した表示板を設置し，その背面に複数の蛍光灯光源を配置することによって該表示板を背面照明するものとされている。
【０００３】
【発明が解決しようとする課題】
しかしこの場合，蛍光灯光源の配置によって表示板の背面照明に輝度ムラが生じ易いこと，蛍光灯の寿命が比較的短いために光源切れが生じ易く，頻繁なメンテナンスを必要とすること，消費電力が大きいために照明のランニングコストが高くなること等の問題点が残されている。
【０００４】
本発明はかかる事情に鑑みてなされたもので，その解決課題とするところは，表示板の照明が均一で，メンテナンスを可及的に減少し，照明のランニングコストを可及的に減少した停留所の照明付表示装置を提供するにある。
【０００５】
【課題を解決するための手段】
上記課題に沿って本発明は，導光板を用いて表示板の背面照明を行なうことによって表示板を可及的均一にして見易いように照明する一方，その光源をＬＥＤとすることによってその長寿命化を実現して，運行時刻の変更等の表示変更を除いて，メンテナンスを可及的に不要化し，更にＬＥＤ点灯の電源をソーラー使用のものとすることによって照明のランニングコストを可及的に不要化するようにする一方，停留所の照明付表示装置として，上記表示変更等に際して表示板（これに積層配置するフィルムを含む）の交換を可及的に容易化するとともに屋外設置の停留所が受ける直射光による影響等を可及的に解消するようにしたものであって，即ち請求項１に記載の発明を，複数の支柱上に屋根を載置して形成した公共交通機関の停留所における任意の支柱の正面乃至背面に設置し，導光板と，該導光板の入射端面に多数のＬＥＤを近接して並列するように該導光板の幅方向端部に設置したＬＥＤユニットと，上記導光板の正面側に配置した透光性の表示板と，該表示板の正面に配置した透明の保護板を備えて，上記屋根に設置のソーラーパネルによって充電するバッテリーを電源として上記導光板による表示板の背面照明を行うようにした時刻表，路線図等の表示装置であって，上記任意の支柱を，支柱フレームと，該支柱フレームの両側の側面に設置した側面化粧カバー及びその前後又はその一方の端部に回動不能又は回動自在に配置した開閉化粧カバーによる上下複数の化粧カバーと，該上下複数の化粧カバーにおける開閉化粧カバー間に配置した上下に対向する化粧横桟を備えて形成し，該上下に対向する化粧横桟に形成した突起又は溝によって上記導光板，表示板及び保護板を，これらの間に僅少空隙を介して保持するとともに上記開閉化粧カバーを開閉することによってこれら導光板，表示板及び保護板を横方向にスライド脱着自在としてなることを特徴とする停留所の照明付表示装置としたものである。
【０００６】
請求項２に記載の発明は，上記に加えて，車両通行による振動等によって導光板とＬＥＤ光源の位置関係を簡易且つ確実に確保するとともに該位置関係がずれることによって表示板の背面照明に輝度の不均一性が生じたりするのを解消し，屋外設置の照明装置として長期に亘り表示板を見易く照明するものとするように，これを，上記ＬＥＤユニットを，反射性のケースに多数のＬＥＤを設置しその導光板側に前後脚片を配置して構成するとともに該前後脚片によって導光板の幅方向端部を被嵌挟持し，その長手方向複数箇所においてネジ固定することによって上記導光板の幅方向端部に着脱自在に設置してなることを特徴とする請求項１に記載の停留所の照明付表示装置としたものである。
【０００７】
本発明はこれらをそれぞれ発明の要旨として上記課題解決の手段としたものである。
【０００８】
【発明の実施の形態】
以下図面の例に従って本発明を更に具体的に説明すれば，Ａは，複数の支柱１上に屋根２を載置して形成した公共交通機関，即ちバス，市電等の停留所，２０はその支柱１に設置した時刻表，路線図等の照明付表示装置であり，該照明付き表示装置２０は，停留所Ａにおける任意の支柱１の正面乃至背面に設置し，導光板２１と，該導光板２１の入射端面に多数のＬＥＤを近接して並列するように該導光板２１の幅方向端部に設置したＬＥＤユニット２２と，上記導光板２１の正面側に配置した透光性の表示板２６と，該表示板２６の正面に配置した透明の保護板２７を備えて，上記屋根２に設置のソーラーパネル２８によって充電するバッテリーを電源として上記導光板２１による表示板２６の背面照明を行うようにしたものとしてあり，このとき該照明付き表示装置２０は，上記任意の支柱１を，支柱フレーム３と，該支柱フレーム３の両側の側面に設置した側面化粧カバー８及びその前後又はその一方の端部に回動不能又は回動自在に配置した開閉化粧カバー１１による上下複数の化粧カバー７と，該上下複数の化粧カバー７における上記開閉化粧カバー１１間に配置した上下に対向する化粧横桟１８を備えて形成し，該上下に対向する化粧横桟１８に形成した突起又は溝によって上記導光板２１，表示板２６及び保護板２７を，これらの間に僅少空隙を介して保持するとともに上記開閉化粧カバー１１を開閉することによってこれら導光板２１，表示板２６及び保護板２７を横方向にスライド脱着自在としたものとしてある。
【０００９】
即ち本例の停留所Ａは，複数の支柱１上に屋根２を載置した独立構築物としての屋根付停留所としてあり，上記表示装置２０は，上記任意の支柱１，本例にあっては一方端部の支柱１の正面乃至背面に配置してある。
【００１０】
表示装置２０を備えた該支柱１は，上記のように，支柱フレーム３，化粧カバー７，化粧横桟１８を備えて構成したものとする一方，該表示装置２０を備えた以外の支柱は，これを，例えば外周４面をフラットな垂直面とするようにアルミ押出材製，鋼製等のものとしてある。
【００１１】
上記表示装置２０を備えた支柱１における本例の支柱フレーム３は幅方向両端に設置した，本例において片側を中空の矩形枠とし，他の片側をＣ字チャンネル枠９としたアルミ押出材又は鋼材による一対の縦枠４と，該一対の縦枠４を連結する上下の横枠５とを備えて構造躯体をなすように枠組みし，本例において縦枠４間に裏板６を配置してボックス状としたものとして構成してあり，上記化粧カバー７は，支柱１の側面に位置する縦枠４の外側面に設置して，該縦枠４を前後全面的に被覆するように配置してあり，本例の化粧カバー７は，支柱１の片側の側面において回動不能，即ち開閉不能に，他の片側の側面においてその前後一端を回動自在，即ち開閉自在とすることによってその部材の共通化を行なうようにしてある。
【００１２】
即ち本例にあって上記側面化粧カバー８は，上記支柱フレーム３の縦枠４に対接固定するＣ字チャンネル材９とその開口側端部にスナップイン係止する開口被覆用の被覆板材１０とによるアルミ押出材製のものとし，また上記開閉化粧カバー１１は，同じく上記支柱フレーム３の縦枠４に対接固定する取付基材１２と該取付基材１２に回動自在にヒンジ１４連結した中空化粧部材１３とによる同じくアルミ押出材製のものとし，上記回動不能のものとして用いる場合は中空化粧部材１３をそのまま，開閉化粧カバー１１として用いる場合は中空化粧部材１３にロック受孔１５，本例にあっては後述のロック１７の外形に応じた表面側の透孔と背面側のネジ用の透孔をそれぞれ透設する加工を施して使用するようにしてあり，このとき側面の被覆は，支柱１の片側において上記Ｃ字チャンネル材９及び中空化粧部材１３を取付基材１２に対して回動不能に固定，例えばネジ１６止めし，その上記取付基材１２をそれぞれ縦枠４に更にネジ１６止め固定した後，上記Ｃ字チャンネル材９に被覆板材１０を装着するように行なう一方，支柱１の他の片側においては同様にＣ字チャンネル材９及び中空化粧部材１３の回動自在性を維持した状態の開閉化粧カバー１１における同じく取付基材１２をそれぞれ縦枠４にネジ１６止め固定し，同様に上記Ｃ字チャンネル材９に被覆板材１０を装着するように行い，それぞれ支柱１の側面にこれを被覆した配置を行なうようにしてある。
【００１３】
このとき本例の上記ロック１７は，頭部にスパナ回転用の六角孔を備えるとともに上記縦枠４に設置した雌ネジ孔に螺合する雄ネジを先端に備えたネジ部材によるものとし，上記ロック受孔１５に該ロック１７を挿入してスパナにより回転することによって，開閉化粧カバー１１，特にその上記中空化粧部材１３を施開錠自在に固定するようにしてある。
【００１４】
本例の化粧横桟１８は，上下に突起乃至溝を形成して上記導光板等を嵌合受入れするようにした中空の桟材を用いて，上記回動不能又は回動自在の開閉化粧カバー１１間に架設配置してあり，該化粧横桟１８はこれを支柱１の前面において長手方向端部一方を，上記開閉不能とした開閉化粧カバー１１に，長手方向端部他方を縦枠４の前部にネジ１６止めし，支柱の背面においては長手方向端部をそれぞれ上記開閉不能とした開閉化粧カバー１１にネジ１６止めして，支柱１の前後対応位置に，上下端を含む多数本を水平に架設するように配置してあり，これによって任意の上下に対向する一対の化粧横桟１８を上記導光板２１，表示板２６及び保護板２７の保持用とし，その余の上下に対向する化粧横枠１８を表示板，化粧板等２９の保持用として構成してある。
【００１５】
本例の表示装置２０における導光板２１は，透明樹脂板の背面に密度変化によって入射光を導光する微小多数のドットを形成し，背面に図示省略の反射シートを，正面に同じく図示省略の拡散シートをそれぞれ積層配置したものとしてあり，またＬＥＤユニット２２は，これを，反射性のケース２３に多数のＬＥＤを設置しその導光板２１側に前後脚片２４を配置して構成するとともに該前後脚片２４によって導光板２１の幅方向端部を被嵌挟持し，その長手方向複数箇所においてネジ２５固定することによって上記導光板２１の幅方向端部に着脱自在に設置したものとしてある。
【００１６】
ＬＥＤユニット２２のケース２３は，その上部をＬＥＤ収納部とし，その前後下端から導光板２１の厚さに合せた前後脚片２４を垂下した樹脂製のものとし，その長手方向両端に透孔を設置したものとしてあり，一方上記透明樹脂板の導光板２１を縦長矩形とし，その幅方向両端部の上部にネジ２５用の貫通孔を透設し，上記ＬＥＤユニット２２の導光板２１への設置は，ケース２３の前後脚片を導光板２１の上部を被嵌するようにこれを挟持するとともに各ＬＥＤが入射端面をなす導光板２１の上端面に近接するように配置し，前後脚片２４の長手方向両端の透孔から導光板２１の貫通孔を介してネジ２５を正面側から後部脚片２４の透孔にタップを切るように螺装し，該ネジ２５によってＬＥＤユニット２２を導光板２１にネジ２５固定するようにこれを行なうものとしてある。
【００１７】
表示板２６は透明乃至半透明の透光性を有し，導光板２１と同じ形状，大きさの矩形の樹脂板によるものとし，また保護板２７は，表示装置２０の最表面にあって表示板２６乃至これに積層配置，例えば貼着した表示フィルムを透視し得るように透明にして同じく導光板２１及び表示板２６と同じ形状，大きさのものとしてある。
【００１８】
導光板２１，表示板２６及び保護板２７は，任意の上下一対の上記化粧横桟１８に形成した上下の突起乃至溝にそれぞれ嵌合することによって正面側から保護板２７，表示板２６及び導光板２１の順になるようにそれぞれ上下の化粧横桟１８間に設置し，上記幅方向端部の開閉化粧カバー１１，即ち回動自在の開閉化粧カバーを開閉することによってスライド着脱自在に保持するようにしてあり，このとき上記突起乃至溝の設置間隔を規制することによって導光板２１，表示板２６及び保護板２７の間にそれぞれ，例えば数ｍｍ程度乃至それ以下の僅少空隙を配置し，これによってスライド着脱に際して各板を指先で摘んで容易に引出し得るようにしてある。
【００１９】
本例にあってソーラーパネル２８は，屋根２上に向きを適宜に設定し，図示省略のバッテリーに昼間時に充電し得るように設置してあり，該バッテリーを電源としてＬＥＤユニット２２のＬＥＤを発光し，導光板２１を均一に面照明することによって表示板２６を背面照明するようにしてある。
【００２０】
このとき本例のＬＥＤユニット２２のＬＥＤ点灯及び消灯は，例えばソーラーパネル２８の所定の電圧以下への継続的降下を検知してスイッチを作動することによって点灯し，７時間程度の点灯後の時間を検知して同じくスイッチを作動して消灯するようにしてあり，これによって点灯及び消灯を自動的に行ない得るようにしてある。
【００２１】
一方上記照明付表示装置２０を設置する以外の上下に対向する化粧横枠１８には，照明なしの表示板と保護板又は化粧板２９を保持することによって，支柱１を化粧してあり，このとき上記と同様に幅方向端部にして回動自在の開閉化粧カバー１１を有する部位に設置したこれら表示板，化粧板等２９は該開閉化粧カバー１１を開閉することによってスライド着脱自在のものとすることができる。
【００２２】
従って本例の停留所Ａの照明付表示装置２０は，導光板２１を用いて表示板２６の背面照明を行なうことによって表示板２６を可及的均一にして見易いように照明する一方，その光源をＬＥＤとすることによってその長寿命化を実現して，運行時刻の変更等の表示変更を除いて，メンテナンスを可及的に不要化し，更にＬＥＤ点灯の電源をソーラー使用のものとすることによって照明のランニングコストを可及的に不要化するようにし，上記表示変更等に際して表示板２６の交換を可及的に容易化するとともに屋外設置の停留所Ａが受ける直射光による樹脂板の変形等の影響等を可及的に解消するようにすることによって，表示板２６の照明が均一で，メンテナンスを可及的に減少し，照明のランニングコストを可及的に減少したものとすることができ，更に点灯及び消灯を自動化したものとすることができる。
【００２３】
図示した例は以上のとおりとしたが，停留所を屋根を付することなく支柱によって構成すること，この場合を含めてソーラーパネルを支柱に設置すること，停留所を市電等バス以外の公共交通機関用のものとして構成すること，ＬＥＤユニットを導光板の下端又は側端に設置し，上下端又は両側端に対向して配置すること，化粧カバーを支柱の側面においてその側面全部を開閉し得るように構成することすること等を含めて，本発明の実施に当って，停留所，その支柱，表示装置，その導光板，表示板，保護板，ＬＥＤユニット，ソーラーパネル，バッテリー等の各具体的形状，構造，材質，数，これらの関係，これらに対する付加等は，上記発明の要旨に反しない限り様々な形態のものとすることができる。
【００２４】
【発明の効果】
本発明は以上のとおりに構成したから，請求項１に記載の発明は，導光板を用いて表示板の背面照明を行なうことによって表示板を可及的均一にして見易いように照明する一方，その光源をＬＥＤとすることによってその長寿命化を実現して，運行時刻の変更等の表示変更を除いて，メンテナンスを可及的に不要化し，更にＬＥＤ点灯の電源をソーラー使用のものとすることによって照明のランニングコストを可及的に不要化するようにする一方，停留所の照明付表示装置として，上記表示変更等に際して表示板（これに積層配置するフィルムを含む）の交換を可及的に容易化するとともに屋外設置の停留所が受ける直射光による影響等を可及的に解消するようにして，表示板の照明が均一で，メンテナンスを可及的に減少し，照明のランニングコストを可及的に減少した停留所の照明付表示装置を提供することができる。
【００２５】
請求項２に記載の発明は，上記に加えて，車両通行による振動等によって導光板とＬＥＤ光源の位置関係を簡易且つ確実に確保するとともに該位置関係がずれることによって表示板の背面照明に輝度の不均一性が生じたりするのを解消し，屋外設置の照明装置として長期に亘り表示板を見易く照明するものとすることができる。
【００２６】
請求項３に記載の発明は，同じく上記に加えて，停留所の支柱を部材を共通化しながら外観の良いものとするとともにその照明装置の設置を簡易且つ確実に安定して行ない得るものとすることができる。
【図面の簡単な説明】
【図１】  停留所の斜視図である。
【図２】  表示装置を備えた支柱の縦断面図である。
【図３】  図２の上方部分の部分拡大縦断面図である。
【図４】  図２の支柱における上方部分の拡大横断面図である。
【図５】  導光板とＬＥＤユニットの関係を示す側面図である。
【符号の説明】
Ａ  停留所
１  支柱
２  屋根
７  化粧カバー
８  側面化粧カバー
１１  開閉化粧カバー
２０  表示装置
２１  導光板
２２  ＬＥＤユニット
２３  ケース
２６  表示板
２７  保護板
２８  ソーラーパネル
【図１】
0004717262.tif 000002
【図２】
0004717262.tif 000003
【図３】
0004717262.tif 000004
【図４】
0004717262.tif 000005
【図５】
0004717262.tif 000006